(57)【要約】【課題】表示面積が大きく、訴求性に優れた表示機能付き包装箱を提供する。【解決手段】箱本体１の天板５の後端に開閉自在に蓋板８を設け、天板５及び蓋板８の側端に表示片９をそれぞれ連設して、表示片９同士を繋ぎ、その天板５及び蓋板８側の集合部の罫線に切目１３を入れることにより、蓋板８を閉じるとき、表示片９を無理なく折り重ねて、天板５と蓋板８との間に挟み込んでおくことができ、蓋板８を開くと、表示片９を大きく展開して、顧客に強い印象を与えることができるようにする。【選択図】図３
2008127075.tif 000002
【特許請求の範囲】
【請求項１】
箱本体(1)の天板(5)の後端に開閉自在に蓋板(8)を設けた包装箱において、天板(5)及び蓋板(8)の側端に表示片(9)をそれぞれ連設して、表示片(9)同士を繋ぎ、その天板(5)及び蓋板(8)側の集合部の罫線に切目(13)を入れ、蓋板(8)を閉じるとき、表示片(9)を折り重ねて、天板(5)と蓋板(8)との間に挟み込んでおき、蓋板(8)を開くと、表示片(9)を展開できるようにしたことを特徴とする表示機能付き包装箱。
【請求項２】
前記箱本体(1)を高さ方向の稜部が直角をなす形状とし、箱本体(1)の天板(5)及び蓋板(8)の側端と表示片(9)との境界となる罫線(11)を、その交点へ向けて内側へ傾斜させたことを特徴とする請求項１に記載の表示機能付き包装箱。
【請求項３】
前記箱本体(1)を高さ方向の稜部が鈍角をなす形状とし、蓋板(8)の両側に連設した表示片(9)同士を他の表示片(9)を介して繋ぎ、その蓋板(8)側の集合部の罫線に切目(13)を入れたことを特徴とする請求項１に記載の表示機能付き包装箱。
【発明の詳細な説明】
【技術分野】
【０００１】
この発明は、商品の販売促進活動等に適した訴求性を有する表示機能付き包装箱に関するものである。
【背景技術】
【０００２】
従来、下記特許文献１には、図１０に示すように、箱本体５１の天板５２の後端に蓋板５３を開閉自在に連設し、その境界端部に山折線５４を挟んでＶ字状の斜谷折線５５を入れ、これを基端とする表示片５６を設け、蓋板５３を閉じると表示片５６が折り込まれ、蓋板５３を開くと表示片５６が飛び出す表示機能付き包装箱が記載されている。
【０００３】
【特許文献１】実公平７−８４１３号公報
【発明の開示】
【発明が解決しようとする課題】
【０００４】
しかしながら、上記のような包装箱では、商品のＰＲ等を印刷する表示片の面積をあまり大きくすることができず、この包装箱を用いて、商品のメーカーが流通業者に対し販売促進活動を行う場合、十分な訴求力が得られないという問題がある。
【０００５】
そこで、この発明は、表示面積が大きく、訴求性に優れた表示機能付き包装箱を提供することを課題とする。
【課題を解決するための手段】
【０００６】
上記課題を解決するため、この発明は、箱本体の天板の後端に開閉自在に蓋板を設けた包装箱において、天板及び蓋板の側端に表示片をそれぞれ連設して、表示片同士を繋ぎ、その天板及び蓋板側の集合部の罫線に切目を入れ、蓋板を閉じるとき、表示片を折り重ねて、天板と蓋板との間に挟み込んでおき、蓋板を開くと、表示片を展開できるようにしたのである。
【０００７】
また、前記箱本体を高さ方向の稜部が直角をなす形状とし、箱本体の天板及び蓋板の側端と表示片との境界となる罫線を、その交点へ向けて内側へ傾斜させたのである。
【０００８】
また、前記箱本体を高さ方向の稜部が鈍角をなす形状とし、蓋板の両側に連設した表示片同士を他の表示片を介して繋ぎ、その蓋板側の集合部の罫線に切目を入れたのである。
【発明の効果】
【０００９】
この発明に係る表示機能付き包装箱では、大きな面積の表示片を複数枚設け、蓋板を閉じるとき、これらの表示片を無理なく折り重ねて、箱本体の天板と蓋板との間に挟み込むことができ、蓋板を開いたとき、折り畳まれていた表示片を大きく展開して、顧客に強い印象を与えることができ、優れた訴求性が得られる。
【発明を実施するための最良の形態】
【００１０】
まず、この発明の第１実施形態を図１乃至図５に基づいて説明する。
【００１１】
この包装箱は、図１に示すように、高さ方向の稜部が直角をなす直方体の箱本体１の後端に、開閉自在に蓋板８を設け、蓋板８を閉じるとき、両側の表示片９を折り重ねて、箱本体１と蓋板８との間に挟み込んでおき、商品の販売促進活動等に際しては、図２乃至図４に示すように、蓋板８を開くと、表示片９を展開できるようにしたものである。
【００１２】
この包装箱の板紙製ブランクでは、図５に示すように、箱本体１の部分として、長方形の底板２の前端に前板３が連設され、後端に後板４及び継代片４ａが順次連設され、前板３の上端に天板５が連設されている。底板２の両側端には側板６及び差込片６ａが順次連設され、前板３及び後板４の両側端にはそれぞれ折曲片７が連設されている。
【００１３】
前板３には、係止切込３ａが設けられ、係止切込３ａから天板５にかけて、開封用のジッパ形切目線５ａが入れられている。継代片４ａには、切目線５ａに対応する切目線４ｂが入れられている。
【００１４】
また、箱本体１の部分に付帯する部分として、天板５及び蓋板８の両側端には、方形状の表示片９がそれぞれ連設され、天板５に繋がる表示片９と、蓋板８に繋がる表示片９とは繋がれている。蓋板８の先端には、蓋前片８ａが連設され、蓋前片８ａとその先端中間部に連設された摘み片８ｂの境界部には、弧状の係止切込８ｃが入れられている。
【００１５】
ここで、天板５と蓋板８の境界は罫線１０とされ、天板５及び蓋板８の側端と表示片９との境界は罫線１１とされ、表示片９同士の境界は罫線１２とされている。そして、罫線１０，１２との交点へ向けて、各罫線１１は内側へ傾斜している。
【００１６】
また、各罫線１１には、罫線１０，１２との交点近傍において、それぞれ切目１３が入れられ、一側の表示片９同士の境界となる罫線１２には、外端から途中まで切込１４が入れられている。
【００１７】
上記ブランクから包装箱を製造する際には、底板２と後板４の境界及び前板３と天板５の境界を罫線沿いに１８０°折り曲げて、継代片４ａを天板５の内面に貼り付ける。この貼付加工は、通常のグルアで行うことができる。そして、この扁平な折畳状態では、嵩張ることなく、商品のメーカー等へ配送し、保管しておくことができる。
【００１８】
そして、例えば、商品のメーカーにおいて、この包装箱を使用する際には、図３に示すように、底板２から前板３及び後板４を起立させて、四角筒状となった箱本体１に商品を収納し、折曲片７を内側へ折り曲げ、各側板６をそれぞれ閉じ、差込片６ａを天板５と折曲片７の間に差し込んで、箱本体１の開口部を閉止する。
【００１９】
次に、図２に示すように、蓋板８を閉じつつ、一側の表示片９及び他側の表示片９を罫線１１に沿って順次内側へ折り曲げ、両側の表示片９を罫線１２沿いに谷折りしつつ重ね合わせる。
【００２０】
その後、図１に示すように、蓋板８を完全に閉じ、一側の表示片９の間に他側の表示片９を挟むように、これらの表示片９を折り重ねて、天板５と蓋板８との間に挟み込み、蓋前片８ａを下方へ折り曲げ、摘み片８ｂを手前に折り曲げて戻すことにより、係止切込３ａ，８ｃを相互に係合させ、蓋板８を閉じた状態に保持する。
【００２１】
このとき、罫線１１の傾斜及び切目１３により、表示片９の厚みによる引き攣れが防止され、一側の表示片９の切込１４が他側の表示片９の谷折部を逃がすように開くので、これらの表示片９を無理なく折り重ねて、天板５と蓋板８の間に挟み込むことができ、蓋板８の浮き上がりが防止される。
【００２２】
一方、この包装箱を用いて商品のメーカーが流通業者に対し販売促進活動等を行う場合には、図１に示す状態から、摘み片８ｂを手前に折り曲げて係止切込３ａ，８ｃの係合を解除し、図２に示すように、蓋板８を開く。
【００２３】
そして、図３に示すように、折り畳まれていた両側の表示片９を左右に開くと、天板５及び蓋板８だけでなく、天板５及び蓋板８とほぼ同様の大きな面積を有する表示片９に印刷された商品のＰＲ用デザインにより、顧客に強い印象を与えることができる。
【００２４】
その後、図４に示すように、切目線５ａを切断して、前板３から天板５を切り開くと、箱本体１に収納されていた商品を取り出すことができる。
【００２５】
次に、この発明の第２実施形態を図６乃至図９に基づいて説明する。
【００２６】
この包装箱は、図６に示すように、高さ方向の稜部が鈍角をなす六角柱の箱本体１の後端に、開閉自在に蓋板８を設け、蓋板８を閉じるとき、両側の表示片９を折り重ねて、箱本体１と蓋板８との間に挟み込んでおき、商品の販売促進活動等に際しては、図７及び図８に示すように、蓋板８を開くと、表示片９を展開できるようにしたものである。
【００２７】
この包装箱の板紙製ブランクでは、図９に示すように、箱本体１の部分として、正六角形の底板２の前端に前板３が、後端に後板４及び継代片４ａが順次連設され、前板３の上端に天板５が連設されている。底板２の両側端の後部斜辺及び天板５の両側端の前部斜辺には、側板６及び差込片６ａがそれぞれ順次連設されている。
【００２８】
前板３及び後板４の両側端には、その側端全長を基端とする折曲片７が連設され、側板６の一側端には、その側端の半分を基端とする折曲片７が連設されている。前板３には、係止切込３ａが設けられている。
【００２９】
また、箱本体１の部分に付帯する部分として、天板５の両側端の後部斜辺には正三角形の表示片９が連設され、蓋板８の両側端の後部斜辺には菱形の表示片９が、前部斜辺には正三角形の表示片９がそれぞれ連設されている。蓋板８の両側端の前部及び後部斜辺から延びる表示片９同士もまた、正三角形の表示片９を介して繋がれている。
【００３０】
蓋板８の先端には、蓋前片８ａが連設され、蓋前片８ａとその先端中間部に連設された摘み片８ｂの境界部には、弧状の係止切込８ｃが入れられている。
【００３１】
ここで、天板５と蓋板８の境界は罫線１０とされ、天板５及び蓋板８の側端と表示片９との境界は罫線１１とされ、表示片９同士の境界は罫線１２とされている。
【００３２】
蓋板８の両側基端に位置する罫線１０，１１，１２の交点近傍において、これらの罫線１０，１２には切目１３が入れられ、また、蓋板８の両側中央に位置する罫線１１，１２の交点近傍においても、これらの罫線１１，１２に切目１３が入れられている。
【００３３】
上記ブランクから包装箱を製造する際には、底板２と後板４の境界及び前板３と天板５の境界を罫線沿いに１８０°折り曲げて、継代片４ａを天板５の内面に貼り付ける。この貼付加工は、通常のグルアで行うことができる。そして、この扁平な折畳状態では、嵩張ることなく、商品のメーカー等へ配送し、保管しておくことができる。
【００３４】
そして、例えば、商品のメーカーにおいて、この包装箱を使用する際には、図８に示すように、底板２から前板３及び後板４を起立させて、六角筒状となった箱本体１に商品を収納し、折曲片７を内側へ折り曲げ、各側板６をそれぞれ閉じ、差込片６ａを天板５又は底板２と折曲片７の間に差し込んで、箱本体１の開口部を閉止する。
【００３５】
次に、図７に示すように、蓋板８を閉じつつ、両側の表示片９を罫線１１に沿って内側へ折り曲げると共に、罫線１２沿いに交互に谷折り及び山折りして重ね合わせる。
【００３６】
その後、図６に示すように、蓋板８を完全に閉じ、折り重ねた表示片９を天板５と蓋板８との間に挟み込み、蓋前片８ａを下方へ折り曲げ、摘み片８ｂを手前に折り曲げて戻すことにより、係止切込３ａ，８ｃを相互に係合させ、蓋板８を閉じた状態に保持する。
【００３７】
このとき、切目１３により、表示片９の厚みによる引き攣れが防止され、蓋板８の浮き上がりが防止される。
【００３８】
一方、この包装箱を用いて商品のメーカーが流通業者に対し販売促進活動等を行う場合には、図６に示す状態から、摘み片８ｂを手前に折り曲げて係止切込３ａ，８ｃの係合を解除し、図７に示すように、蓋板８を開く。
【００３９】
このように蓋板８を開くと、図８に示すように、折り畳まれていた両側の表示片９が同時に左右に開かれ、天板５及び蓋板８だけでなく、左右各４枚の表示片９に印刷された商品のＰＲ用デザインにより、顧客に強い印象を与えることができる。
【００４０】
その後、差込片６ａを箱本体１内から引き抜いて、側板６を開くと、箱本体１に収納されていた商品を取り出すことができる。
【００４１】
なお、上記実施形態では、箱本体１が直方体のものと六角柱状のものとを例示したが、箱本体１は、天板５から蓋板８へかけて折畳式の表示片９を連設できるものであれば、五角柱状や八角柱状等の多角柱状であってもよい。
【００４２】
また、箱本体１として、タックエンド形のものを例示したが、シールエンド形の箱本体１に蓋板８及び表示片９を設けるようにしてもよい。
【００４３】
また、箱本体１の両側に表示片９を設けたものを例示したが、片側にのみ表示片９を設けるようにしてもよい。
【図面の簡単な説明】
【００４４】
【図１】第１実施形態に係る表示機能付き包装箱の閉蓋状態を示す斜視図
【図２】同上の開蓋過程を示す斜視図
【図３】同上の表示片の展開状態を示す斜視図
【図４】同上の箱本体の開封状態を示す斜視図
【図５】同上の包装箱のブランクを示す図
【図６】第２実施形態に係る表示機能付き包装箱の閉蓋状態を示す斜視図
【図７】同上の開蓋過程を示す斜視図
【図８】同上の表示片の展開状態を示す斜視図
【図９】同上の包装箱のブランクを示す図
【図１０】従来の表示機能付き包装箱の開蓋状態を示す斜視図
【符号の説明】
【００４５】
１  箱本体
２  底板
３  前板
３ａ  係止切込
４  後板
４ａ  継代片
５  天板
５ａ  切目線
６  側板
６ａ  差込片
７  折曲片
８  蓋板
８ａ  蓋前片
８ｂ  摘み片
８ｃ  係止切込
９  表示片
１０，１１，１２  罫線
１３  切目
１４  切込
【図１】
2008127075.tif 000003
【図２】
2008127075.tif 000004
【図３】
2008127075.tif 000005
【図４】
2008127075.tif 000006
【図５】
2008127075.tif 000007
【図６】
2008127075.tif 000008
【図７】
2008127075.tif 000009
【図８】
2008127075.tif 000010
【図９】
2008127075.tif 000011
【図１０】
2008127075.tif 000012